(57)【要約】【課題】            視覚障害者を安全且つ確実に目的地まで誘導することができる床面誘導体の敷設構造及び方法を提供する。【解決手段】        この発明の床面誘導体の敷設構造は、視覚障害者を目標対象に向かって誘導する誘導体１，１´，３１を誘導すべき進行方向に沿って通路床面に敷設した敷設構造に関する。上記誘導体１，１´，３１の分岐点又は目標対象の手前の誘導体１，１´，３１の終点位置に、分岐点より分岐した次の誘導体１，１´，３１の始端部前又は目標対象との間に、歩行者が誘導杖８その他の検知具により分岐点又は目標対象に到達したことを安全に検知することが可能なスペースからなる検知空間７を床面上に設けている。  また上記誘導体は誘導マット１，１´又は点字ブロック３１であり、前記検知空間７は、歩行者が進行して来る側の誘導体終端部から前方に向って４００〜８００ｍｍの奥行きを有している。【選択図】          図２
2006046050.tif 000002
【特許請求の範囲】
【請求項１】
視覚障害者を目標対象に向かって誘導する誘導体（１），（１´），（３１）を誘導すべき進行方向に沿って通路床面に敷設した敷設構造において、上記誘導体（１），（１´），（３１）の分岐点又は目標対象の手前の誘導体（１），（１´），（３１）の終点位置に、分岐点より分岐した次の誘導体（１），（１´），（３１）の始端部前又は目標対象との間に、歩行者が誘導杖（８）その他の検知具により分岐点又は目標対象に到達したことを安全に検知することが可能なスペースからなる検知空間（７）を床面上に設けてなる床面誘導体の敷設構造。
【請求項２】
誘導体（１），（１´），（３１）が誘導マット（１），（１´）又は点字ブロック（３１）である請求項１の床面誘導体の敷設構造。
【請求項３】
検知空間（７）が歩行者が進行して来る側の誘導体（１），（１´），（３１）終端部から前方に向って４００〜８００ｍｍの奥行きを有する請求項１又は２の床面誘導体の敷設構造。
【請求項４】
検知空間（７）の横方向の幅が誘導体（１），（１´），（３１）の横幅以上の幅である請求項２又は３の床面誘導体の敷設構造。
【請求項５】
検知空間（７）における隣接する誘導体（１），（１´），（３１）の端部が略直角に交差する方向に誘導体（１），（１´），（３１）が配置される請求項２又は３又は４の床面誘導体の敷設構造。
【請求項６】
請求項２又は３又は４又は５の敷設構造を、検知空間（７）のスペース内に予め検知空間（７）の形状に対応する平面形状のシート状，マット状，プレート状，枠状又はブロック状のゲージ（９）を配置し、誘導体（１），（１´），（３１）の端部を該ゲージ（９）の周縁に沿って配置することにより形成する床面誘導体の敷設方法。
【発明の詳細な説明】
【技術分野】
【０００１】
この発明は、例えば視覚障害者（例えば、全盲者、弱視者等）の移動のための、認知，識別機能を備えた床面誘導体の敷設構造及び方法に関する。
【背景技術】
【０００２】
従来、視覚障害者の歩行を誘導する手段として、駅構内、公共の建物の通路には、特許文献１の図４に示すような点字ブロックや点字タイルが敷設されている。この点字ブロックやタイルは、該表面に歩行者の誘導を補助する凹凸を付した正方形又は長方形のブロックがあり、その凸部の種類としては、大きく分けて平面視で円形の点状ブロック（警告ブロック）と長方形の線状ブロック（誘導ブロック）が公知である。そして前記線状ブロックを通路に沿って敷設するとともに、方向転換や障害物の回避を促す目的で各交差点等において、前記点状ブロックを敷設する方法が知られている。また特許文献２に示すように、線状プレート４及び点状プレート５の組み合わせによって視覚障害者を誘導するとともに、足裏の接触によって読み取ることができる点字を備えた点字プレート１を線状プレート４及び点状プレート５間に敷設するものが公知である。
【特許文献１】特開２０００−２９７４１５号公報（図６）
【特許文献２】特開２００３−６６８２９号公報（図３）
【発明の開示】
【発明が解決しようとする課題】
【０００３】
しかし上記従来技術には以下のような問題点がある。
（１）誘導ブロックの他に特別な警告ブロックや目標物の案内ブロック等を用意する必要がある。
（２）視覚障害者のための路面誘導用のブロック，タイル，プレート等のうち、特に誘導路の分岐点や終了点、危険物の迂回点等に用いる「注意」，「危険」，「停止」等を認識させるブロックは、形状や構造、サイズ及び配置方法が特別のルールによって定められている訳ではなく、障害者にとってその識別が容易にできないため目的を達成できない場合が多い。
（３）柱や壁等の危険箇所を迂回させたり停止させたりする場合の警告ブロックは誘導ブロックに近接して配置されているため、案内が連続しているものとの錯覚を誘い、歩行停止や徐行しないで通過してしまう危険が生じていた。
（４）点字ブロックは靴の裏面やステッキでは殆ど判読できないばかりでなく、進入方向が異なると点字そのものが判読できないため、双方向、多方向からの進入がある場合には適さない。
【０００４】
この発明は、これらの課題を解決又は改善し、必要最小限の誘導体を敷設することによって視覚障害者を安全且つ確実に目的地に誘導するとともに、より視覚障害者の立場に立った誘導体の敷設構造及び方法を提供することを目的としている。
【課題を解決するための手段】
【０００５】
上記課題を解決するための本発明の床面誘導体の敷設構造は、第１に、視覚障害者を目標対象に向かって誘導する誘導体１，１´，３１を誘導すべき進行方向に沿って通路床面に敷設した敷設構造において、上記誘導体１，１´，３１の分岐点又は目標対象の手前の誘導体１，１´，３１の終点位置に、分岐点より分岐した次の誘導体１，１´，３１の始端部前又は目標対象との間に、歩行者が誘導杖８その他の検知具により分岐点又は目標対象に到達したことを安全に検知することが可能なスペースからなる検知空間７を床面上に設けてなることを特徴としている。
【０００６】
第２に、誘導体１，１´，３１が誘導マット１，１´又は点字ブロック３１であることを特徴としている。
【０００７】
第３に、検知空間７が歩行者が進行して来る側の誘導体１，１´，３１終端部から前方に向って４００〜８００ｍｍの奥行きを有することを特徴としている。
【０００８】
第４に、検知空間７の横方向の幅が誘導体１，１´，３１の横幅以上の幅であることを特徴としている。
【０００９】
第５に、検知空間７における隣接する誘導体１，１´，３１の端部が略直角に交差する方向に誘導体１，１´，３１が配置されることを特徴としている。
【００１０】
また上記課題を解決するための本発明の床面誘導体の敷設方法は、上述の敷設構造を検知空間７のスペース内に予め検知空間７の形状に対応する平面形状のシート状，マット状，プレート状，枠状又はブロック状のゲージ９を配置し、誘導体１，１´，３１の端部を該ゲージ９の周縁に沿って配置することにより形成することを特徴としている。
【発明の効果】
【００１１】
以上の如く構成される本発明の床面誘導体の敷設構造及び方法によれば、以下に示すような効果を奏するものである。
（１）床面誘導体と検知空間の触感が異なるので、視覚障害者にとっては歩行時の着地感や誘導杖（白杖）の接触感の変化を感知することによって、通路の分岐や曲り角等を確実に誘導できる利点がある。また交差点等において検知空間を設けることにより、上記誘導体のほかに交差点で使用する交差部材の必要が無く、低コスト化にもつながるという利点がある。
【００１２】
（２）誘導体を誘導マット又は点字ブロックとしたことにより、既存の誘導体でより安全に視覚障害者を誘導することができる。また視覚障害者の身長や手足の長さを考慮すると、白杖等の誘導杖の長さは８００〜１２００ｍｍに設定されるために、検知空間の奥行きを４００〜８００ｍｍとし、検知空間の横方向の幅を誘導体の横幅以上の幅とすることにより、視覚障害者に安全且つ確実に分岐点又は目標対象に到達したことを感知させることができる。
【００１３】
（３）検知空間における隣接する誘導体の端部が略直角に交差する方向に誘導体が配置される構造であるので、Ｌ字形，Ｔ字形，十字形の交差点では検知空間の感知後、誘導体を探し出す際に、略直角に交差する方向を探すことにより、目的対象方向の誘導体を迅速に探すことができるとともに、例えば建物入口や駅の改札口等から誘導体の誘導に従って歩く際に、方向感覚を失うことなく目的対象まで到達できるという利点がある。
【００１４】
（４）検知空間のスペース内に予め検知空間の形状に対応する平面形状のシート状，マット状，プレート状又はブロック状のゲージを配置し、誘導体の端部を該ゲージの周縁に沿って配置することにより検知空間を形成する構成であるので、ゲージの周縁に沿って誘導体を配置後、ゲージを取り除くことによって、常に同サイズの検知空間を迅速に設けることができる。
【発明を実施するための最良の形態】
【００１５】
以下本発明の床面誘導体の敷設構造及び方法について図面に基づき説明する。
床面誘導体のうち誘導マット１は、中央の弾力部２と両側端側の縁部３を備え、一定の弾力性を有するゴム又は合成樹脂材若しくはこれらの発泡材等からなり、該縁部３は床面との段差を解消するために上面が外側端に向かって下降方向に傾斜する傾斜面を形成している。例えばマット１の厚みにもよるが、縁部３の傾斜角は車椅子の走行に衝撃を感じない程度の２°〜１５°程度に形成されている。またこの傾斜面は必ずしも平坦面である必要はなく、丸みをおびた円弧状の断面の面であってもよい。弾力部２は接地面側に弾力的に接する突起部を多数突設することによって弾力性を与える構成でも良く、また弾力性を有するクッション材を床面との間に介挿することによって弾力性を与える構成とすることもできる。
【００１６】
誘導マット１によって形成される誘導路の始端又は終端では図１に示すように誘導マット１´が設けられている。該誘導マット１´の始端部または終端部には端縁部４が形成され、該端縁部４は前述の縁部３と同様に終端又は始端に向かって斜め方向に緩やかに傾斜する傾斜面が形成されている。すなわち図１〜図４に図示する例では、床面誘導体は誘導マット１と誘導マット１´によって構成されている。また誘導マット１，１´の露出する表面には、縞模様，点模様その他任意の模様等からなる微細な凹凸模様を形成し、又は砂状物を付着させる等の方法により、滑り止め加工が施されている（図示しない）。
【００１７】
隣接させて敷設した誘導マット１には、その端部同士が互いに係合して嵌合し合うような凹凸状の接合部６を設けた。この例では上記接合部６は互いに嵌合係止して接合するあり接合である。また誘導マット１´では前後方向において、一方の端部では端縁部４が形成され、他方の端部では誘導マット１と同様に接合部６が形成され、誘導マット１の接合部６と互い係合し合い嵌合係止する。
【００１８】
施工時には、比較的短寸の単位長さに形成された誘導マット１を、床等の所定位置に接着固定し、接合部６を互いに嵌合係止して接合する。また両面テープを用いた既存の床面への接着固定による敷設が可能であるために、補修や張替えが容易であるほか、会議やイベント会場において仮設する場合は床と接着することなく、置くだけでも使用することができる。
【００１９】
図２は誘導マット１，１´を用いた誘導路の交差点での敷設構造を示す。この例では誘導マット１，１´を使用して誘導路を形成するとともに、誘導路が交差する交差点においては、床面等をそのまま露出した検知空間７が、歩行者が進行して来る側の誘導マット１´の端縁部４から、進行方向の前方の誘導マット１´の端縁部４間に形成される構成となっている。
【００２０】
図２に示すように検知空間７における隣接する誘導マット１，１´は略直角に交差する方向に次の誘導マット１，１´の配置される構成となっている。またＴ字路やＬ字路（図示しない）においても誘導マット１及び誘導マット１´の配置は同様である。ただし三叉路等の変形交差点においては通路（廊下）に沿って進行方向に向って検知空間７を介して敷設するものとする。
【００２１】
視覚障害者が上記誘導路に沿って歩行する際には、白杖等の誘導杖８その他の検知具又は足裏の接触感や音の違いにより、交差点であることを感知することによって、目的地まで正確に到達することができる。一般に視覚障害者の背丈や手足の長さを考慮して、白杖の長さとしては８００ｍｍ〜１２００ｍｍとなっている。従って検知空間７のサイズとしては狭過ぎては検知する前に次の誘導マット１，１´に到達し有効な検知ができないとともに、広過ぎても白杖等の誘導杖８の検知可能範囲を超え有効な検知ができないこととなる。
【００２２】
このため視覚障害者が交差点であること検知するために最も有効な検知空間７のサイズとしては、誘導マット１´の端縁部４から進行方向の前方の誘導マット１´の端縁部４まで４００ｍｍ〜８００ｍｍの奥行きを設けることが望ましい。また検知空間７の横方向の幅は誘導マット１の幅以上の幅が望ましい。すなわち検知空間７のサイズ及び形状としては、図示するように一辺が４００ｍｍ〜８００ｍｍの略正方形の空間を必要とする。ちなみに本発明に用いる誘導マット１，１´は例えば幅６００ｍｍである。誘導マット１´もさらに前述の三叉路等の変形交差点においては、上記サイズ及び形状の検知空間７に限らず、視覚障害者にとって有効に検知できる検知空間７のサイズ及び形状であれば良い。
【００２３】
また床面誘導体である誘導マット１，１´の敷設方法としては、予め検知空間７のスペース内に検知空間７の形状に対応する平面形状のゲージ９を配置し、誘導マット１´を該ゲージ９の周縁に沿って配置し、該誘導マット１´に誘導マット１をあり接合により接合していく構成となっている。そして誘導マット１，１´の配置場所の決定後にゲージを取り除くことによって誘導マット１，１´を敷設する構成となっている。ゲージ９はシート状，マット状，プレート状，枠状又はブロック状であり、上記検知空間７のサイズと同様に一辺が４００ｍｍ〜８００ｍｍの略正方形に形成されている。そしてゲージ９の４辺近傍にはゲージの配置及び取り除きのための手掛り９ａが切欠形成されている。
【００２４】
図３の（Ａ）に示すように階段１１の昇り口及び降り口では、上述の各種交差点の誘導マット１´の敷設と同様に、階段１１の昇り口及び降り口手前において、ゲージ９を介して該ゲージ９の手前に誘導マット１´を敷設し、該誘導マット１´に誘導マット１を接続していく構成となっている。そしてゲージ９を取り除くことによって階段１１の昇り口及び降り口手前に検知空間７が形成される。よって階段１１の昇り口及び降り口手前に視覚障害者にとって十分に検知可能な検知空間７が形成されるので、階段１１の上り始めでの躓きや階段１１の折り始めでの転落を防止することができる。
【００２５】
図３の（Ｂ）に示すように目標対象であるエレベーター１２又はドア（図示しない）の前では、ゲージ９を介して該ゲージ９の手前に誘導マット１´を敷設し、該誘導マット１´に誘導マット１を接続していく構成となっている。そしてゲージ９を取り除くことによってエレベーター１２の手前に検知空間７が形成される。よってエレベーター１２又はドアの手前に視覚障害者にとって十分に検知可能な検知空間７が形成されるので、エレベーター１２やドア等の目標対象の存在を視覚障害者に認識させ、その目標対象への衝突などの危険を事前に回避することができる。
【００２６】
図４は屋内施設における本発明に使用する誘導マットの各交差点での敷設構造を示す全体斜視図である。車道１３及び歩道１４に面した施設１６における入口（自動ドア）１７より通路（廊下）１８が設けられている。該通路１８に沿って、受付１９，トイレ２１，エレベーター２２，喫茶室２３，会議室２４，自動販売機を備えた休憩室２６等の目的地が設けられている。通路１８の床面中央には誘導マット１及び誘導マット１´が連続して敷設され、接着固定されている。各交差点及び目標対象前には視覚障害者にとって十分な検知空間７が確保されており、視覚障害者等の歩行者が上記誘導マット１及び検知空間７を検知することによって正確に誘導案内される構成となっている。
【００２７】
図５は本発明に使用する誘導体のうち点字ブロック３１の交差点での敷設構造を示す平面図であり、各種交差点のうち十字路のみを図示した。上記の誘導マット１及び誘導マット１´の敷設と同様に、検知空間７を確保するために、１辺の長さが４００ｍｍ〜８００ｍｍの略正方形のゲージ９を十字路等の交差点に配置する。そしてゲージ９の周縁に沿って点字ブロック３１のうち線状（誘導）ブロックのみを敷設し、点字ブロック３１の位置の確定後に前記ゲージ９を取り除き検知空間７を形成する。
【００２８】
従来、点字ブロック３１の敷設では、盲人等の視覚障害者に分岐点であることを検知させるために、点状（警告）ブロックを敷設することが通例であった。しかし点字ブロック３１に備えられた突起による転倒や車椅子走行の走行妨害の問題や、２種類の点字ブロック３１の使用によるコスト高の問題が生じていた。したがって点字ブロック３１のうち点状ブロックを使用することなく、線状ブロックのみの使用によって、安全で正確な視覚障害者の誘導案内が可能になるとともに、敷設コストを軽減することができる。
【００２９】
本発明に用いる誘導体のうち上述の誘導マット及び点字ブロックは上記態様に限らず、視覚障害者を確実に誘導案内できる誘導体であれば他の形態でも良い。検知空間の形状及びサイズも上記説明に限定されることなく、視覚障害者が確実に検知可能な検知空間であれば他の形状又はサイズでも良い。その検知空間を形成するために使用するゲージも、検知空間の形成という目的が達成されるのであれば、上記態様に限らず他の形状やサイズでも良く、ゲージの材質や使用方法も特に限定されるものではない。
【産業上の利用可能性】
【００３０】
この発明の床面誘導体の敷設構造及び敷設方法は、視覚障害者の歩行誘導路としてだけでなく、バスや電車などの出口の案内，バス停やホームで乗車位置の表示等の行先案内表示として利用できる。
【図面の簡単な説明】
【００３１】
【図１】本発明に使用する誘導体のうち誘導マットを示す全体斜視図である。
【図２】本発明に使用する誘導マットの交差点での敷設構造を示す平面図である。
【図３】本発明に使用する誘導マットの目標対象又は障害物前での敷設構造を示す斜視図であり、（Ａ）は階段での敷設構造，（Ｂ）はエレベーター前での敷設構造である。
【図４】本発明に使用する誘導マットの施設内における各交差点又は目標対象前での敷設構造を示す全体斜視図である。
【図５】本発明に使用する誘導体のうち点字ブロックの交差点での敷設構造の平面図である。
【符号の説明】
【００３２】
１，１´    誘導マット（誘導体）
７    検知空間
８    誘導杖
９    ゲージ
３１  点字ブロック（誘導体）
【図１】
2006046050.tif 000003
【図２】
2006046050.tif 000004
【図３】
2006046050.tif 000005
【図４】
2006046050.tif 000006
【図５】
2006046050.tif 000007